(57)【要約】【課題】足場構築体における足場板の桁方向の側部に沿って幅木装置を搭載するための装置を提供する。【解決手段】横架材に設置される設置手段(15)と、前記作業空間側から支柱の内側表面に当接する受止め手段(16)と、前記外部空間側から支柱の外側表面に臨む挟持装置(17)により構成された搭載装置(7)を設けており、前記挟持装置(17)は、支柱に交差する横軸を軸線(X)として軸廻りに回動自在かつ支柱に対して進退移動自在な基軸部(22)と、該基軸部から径方向に延びるアーム部(23)と、該アーム部の先端から前記支柱に向けて突出する挟持部(24)を有する挟持ロッド(19)を備え、該挟持ロッドを格納姿勢(P1)と挟持姿勢(P2)との間で姿勢変更するように構成されており、挟持姿勢(P2)とした状態において、基軸部(22)の回動を介して、受止め手段(16)に接する鉛直線(Y)と挟持部(24)の間の水平距離により規定される挟持距離(W)を可変自在とするように構成している。【選択図】図４
2017186862.tif 000002
【特許請求の範囲】
【請求項１】
離間する支柱のそれぞれに固設された一対の横架材の間に足場板を架設することにより作業空間を形成して成る足場構築体において、前記作業空間から外側空間に臨む足場板の桁方向の側部に沿って搭載される幅木装置であり、
前記幅木装置は、前記支柱の離間空間を塞ぐ幅木本体(6)の両端部に位置して、それぞれの支柱及び横架材に係脱自在に搭載される搭載装置(7)を設けており、
少なくとも一方の搭載装置(7)は、横架材に設置される設置手段(15)と、前記作業空間側から支柱の内側表面に当接する受止め手段(16)と、前記外部空間側から支柱の外側表面に臨む挟持装置(17)により構成され、
前記挟持装置(17)は、挟持ロッド(19)と、該挟持ロッドを幅木装置に支持する支持体(18)とから成り、
前記挟持ロッド(19)は、支柱に交差する横軸を軸線(X)として軸廻りに回動自在かつ支柱に対して進退移動自在な基軸部(22)と、該基軸部から径方向に延びるアーム部(23)と、該アーム部の先端から前記支柱に向けて突出する挟持部(24)を備えており、
前記基軸部(22)の前進を介して前記挟持部(24)を支柱の外側面に臨ませると共に該基軸部(22)を回動することにより、前記受止め手段(16)に接する鉛直線(Y)と前記挟持部(24)の間の水平距離により規定される挟持距離(W)を可変自在とするように構成して成ることを特徴とする足場用幅木搭載装置。
【請求項２】
前記挟持ロッド(19)は、前記基軸部(22)の後退移動と回動により前記挟持部(24)を支柱から後退させると共に前記アーム部(23)を幅木本体の表面に沿わせる格納姿勢(P1)と、前記基軸部(22)の前進移動と回動により前記アーム部(23)を幅木本体の表面から離反させると共に前記挟持部(24)を支柱の外側表面に臨ませる挟持姿勢(P2)との間で姿勢変更するように構成されて成ることを特徴とする請求項１に記載の足場用幅木搭載装置。
【請求項３】
前記挟持ロッド(19)を挟持姿勢(P2)とした状態において、前記基軸部(22)の進退移動を介して、前記受止め手段(16)に当接する支柱の中心軸線(C)と前記アーム部(23)の間の水平距離により規定される対面距離(L)を可変自在とするように構成して成ることを特徴とする請求項２に記載の足場用幅木搭載装置。
【請求項４】
前記挟持ロッド(19)の基端部(22)と一体に回動かつ進退移動する操作部(25)を該基端部の径方向に突設すると共に、該基端部(22)を前進方向(F)に向けて弾発付勢するスプリング(26)を設けており、前記スプリングに抗して挟持ロッド(19)を格納姿勢(P1)及び挟持姿勢(P2)としたとき、当該姿勢を保持させるように前記操作部(25)を制御する制御手段(28)を前記支持体(18)に設けて成ることを特徴とする請求項２又は３に記載の足場用幅木搭載装置。
【請求項５】
前記制御手段(28)は、挟持ロッド(19)を格納姿勢(P1)及び挟持姿勢(P2)とした状態で前記操作部(25)を固定係止する格納姿勢保持手段(27)及び挟持姿勢保持手段(29)を備えて成ることを特徴とする請求項４に記載の足場用幅木搭載装置。
【請求項６】
前記可変自在な挟持距離(W)及び対面距離(L)に関して、第１挟持距離Ｗ１と第２挟持距離Ｗ２をＷ１＞Ｗ２、第１対面距離Ｌ１と第２対面距離Ｌ２をＬ１＞Ｌ２としたとき、前記挟持姿勢保持手段(29)は、前記挟持ロッドが挟持部により第１挟持距離Ｗ１を形成しかつアーム部により第１対面距離Ｌ１を形成する第１挟持姿勢(P2a)とされた状態で前記操作部(25)を固定係止する第１挟持姿勢保持手段(29a)と、前記挟持ロッドが挟持部により第２挟持距離Ｗ２を形成しかつアーム部により第２対面距離Ｌ２を形成する第２挟持姿勢(P2b)とされた状態で前記操作部(25)を固定係止する第２挟持姿勢保持手段(29b)を構成して成ることを特徴とする請求項５に記載の足場用幅木装置。
【請求項７】
前記制御手段(28)は、前記スプリング(26)により挟持ロッド(19)と共に前記操作部(25)を前進方向(F)に移動させたとき、該操作部(25)を前記基軸部(22)の軸線(X)に対して傾斜方向に案内する制御通路(28B)を形成しており、
前記操作部(25)を前記制御通路(28B)に沿って前進移動させることにより、該移動に伴い前記挟持距離(W)を次第に狭める方向に挟持ロッド(19)を回動させるように構成して成ることを特徴とする請求項４に記載の足場用幅木搭載装置。
【請求項８】
前記制御手段(28)は、アーム部(23)を幅木本体の表面に対して平行状態とする格納姿勢(P1)に関して、挟持ロッド(19)をスプリングに抗して後退させた第１格納姿勢(P1a)とした状態で固定係止する第１格納姿勢保持手段(27a)と、挟持ロッド(19)をスプリングにより前進させた第２格納姿勢(P1b)とした状態で固定係止する第２格納姿勢保持手段(27b)を備えており、
前記第２格納姿勢保持手段(27b)は、前記制御通路の前進方向(F)の前端に位置して屈折方向に延設された屈折路(33)により構成されて成ることを特徴とする請求項７に記載の足場用幅木搭載装置。
【発明の詳細な説明】
【技術分野】
【０００１】
本発明は、足場構築体の作業空間から外部空間に臨む足場板の桁方向の側部に沿って幅木装置を搭載するための装置に関する。
【背景技術】
【０００２】
建設現場等において構築される仮設足場は、離間する支柱のそれぞれに固設された一対の横架材の間に足場板を架設することにより作業空間を形成している。
【０００３】
しかしながら、足場板上の作業空間で高所作業を行う場合、作業中に誤って、工具又は作業用機材や、ボルト又はナットその他の物品が外部空間に向けて落下する危険があるため、外部空間に臨む足場板の桁方向の側部に沿って幅木装置を設けている。
【０００４】
公知のように、幅木装置は、前記支柱の離間空間を塞ぐ幅木本体を有し、該幅木本体の両端部に位置して、それぞれの支柱及び横架材に係脱自在に搭載される搭載装置を設けている。従って、幅木装置は、前記搭載装置により、足場の構築時に所定位置に搭載され、足場の解体時に取外される。
【先行技術文献】
【特許文献】
【０００５】
【特許文献１】特開２０１１−１５３４２２号公報
【特許文献２】特開２０１１−２４１６５６号公報
【特許文献３】特開２０１３−２２１３６８号公報
【発明の概要】
【発明が解決しようとする課題】
【０００６】
幅木装置に設けた搭載装置は、種々の構成としたものが知られているが、作業空間側から支柱の内側表面に当接する受止め手段と、外部空間側から支柱の外側表面に臨むフック等から成る挟持手段を備えたものが好ましい。
【０００７】
これによれば、支柱を内外両側から前記受止め手段と挟持手段により挟持可能であり、支柱に対して幅木装置をガタツキのないように固定係止できる利点がある。
【０００８】
ところが、足場構築体を構成する支柱は、例えば、短管足場の場合、外径４８．６ｍｍの円管材や、外径４２．７ｍｍの円管材のように、外径を相違する複数種類の支柱が存在している。
【０００９】
従って、前述のような受止め手段と挟持手段から成るガタツキのない利点を生かした幅木の搭載装置を提供するためには、足場の現場毎に使用される支柱の外径に対応した専用構造の装置が必要になるという問題がある。
【００１０】
そこで、本発明の主たる課題は、支柱の外径が相違していてもガタツキのない状態で幅木装置を搭載できるようにした汎用性の高い装置を提供することにある。
【課題を解決するための手段】
【００１１】
本発明は、上記課題を解決した幅木装置を提供するものであり、その手段として構成したところは、離間する支柱のそれぞれに固設された一対の横架材の間に足場板を架設することにより作業空間を形成して成る足場構築体において、前記作業空間から外側空間に臨む足場板の桁方向の側部に沿って搭載される幅木装置であり、前記幅木装置は、前記支柱の離間空間を塞ぐ幅木本体の両端部に位置して、それぞれの支柱及び横架材に係脱自在に搭載される搭載装置を設けており、少なくとも一方の搭載装置は、横架材に設置される設置手段と、前記作業空間側から支柱の内側表面に当接する受止め手段と、前記外部空間側から支柱の外側表面に臨む挟持装置により構成され、前記挟持装置は、挟持ロッドと、該挟持ロッドを幅木装置に支持する支持体とから成り、前記挟持ロッドは、支柱に交差する横軸に関して軸廻りに回動自在かつ支柱に対して進退移動自在な基軸部と、該基軸部から径方向に延びるアーム部と、該アーム部の先端から前記支柱に向けて突出する挟持部を備えており、前記基軸部の前進を介して前記挟持部を支柱の外側面に臨ませると共に該基軸部を回動することにより、前記受止め手段に接する鉛直線と前記挟持部の間の水平距離により規定される挟持距離を可変自在とするように構成して成る点にある。
【００１２】
本発明の好ましい実施形態において、前記挟持ロッドは、前記基軸部の後退移動と回動により前記挟持部を支柱から後退させると共に前記アーム部を幅木本体の表面に沿わせる格納姿勢と、前記基軸部の前進移動と回動により前記アーム部を幅木本体の表面から離反させると共に前記挟持部を支柱の外側表面に臨ませる挟持姿勢との間で姿勢変更するように構成されている。
【００１３】
好ましくは、前記挟持ロッドを挟持姿勢とした状態において、前記基軸部の進退移動を介して、前記受止め手段に当接する支柱の中心軸線と前記アーム部の間の水平距離により規定される対面距離を可変自在とするように構成している。
【００１４】
本発明の好ましい実施形態は、前記挟持ロッドの基端部と一体に回動かつ進退移動する操作部を該基端部の径方向に突設すると共に、該基端部を前進方向に向けて弾発付勢するスプリングを設けており、前記スプリングに抗して挟持ロッドを格納姿勢及び挟持姿勢としたとき、当該姿勢を保持させるように前記操作部を制御する制御手段を前記支持体に設けている。
【００１５】
前記制御手段は、第１実施形態の場合、挟持ロッドを格納姿勢及び挟持姿勢とした状態で前記操作部を固定係止する格納姿勢保持手段及び挟持姿勢保持手段を備えている。
【００１６】
この際、前記可変自在な挟持距離及び対面距離に関して、第１挟持距離Ｗ１と第２挟持距離Ｗ２をＷ１＞Ｗ２、第１対面距離Ｌ１と第２対面距離Ｌ２をＬ１＞Ｌ２としたとき、前記挟持姿勢保持手段は、前記挟持ロッドが挟持部により第１挟持距離Ｗ１を形成しかつアーム部により第１対面距離Ｌ１を形成する第１挟持姿勢とされた状態で前記操作部を固定係止する第１挟持姿勢保持手段と、前記挟持ロッドが挟持部により第２挟持距離Ｗ２を形成しかつアーム部により第２対面距離Ｌ２を形成する第２挟持姿勢とされた状態で前記操作部を固定係止する第２挟持姿勢保持手段を構成することが好ましい。
【００１７】
前記制御手段は、第２実施形態の場合、前記スプリングにより挟持ロッドと共に前記操作部を前進方向に移動させたとき、該操作部を前記基軸部の軸線に対して傾斜方向に案内する制御通路を形成しており、前記操作部を前記制御通路に沿って前進移動させることにより、該移動に伴い前記挟持距離を次第に狭める方向に挟持ロッドを回動させるように構成している。
【００１８】
この際、前記制御手段は、アーム部を幅木本体の表面に対して平行状態とする格納姿勢に関して、挟持ロッドをスプリングに抗して後退させた第１格納姿勢とした状態で固定係止する第１格納姿勢保持手段と、挟持ロッドをスプリングにより前進させた第２格納姿勢とした状態で固定係止する第２格納姿勢保持手段を備えており、前記第２格納姿勢保持手段は、前記制御通路の前進方向の最前端に位置して屈折方向に延設された屈折路により構成することができる。
【発明の効果】
【００１９】
本発明によれば、幅木装置５を足場構築体に搭載するため、挟持装置１７を支柱１に固定係止するときは、受止め手段１６を支柱１の内側表面に当接させた状態から、挟持ロッド１９を前進移動させれば、該ロッドの挟持部２４が支柱１を前記受止め手段１６との間で挟持するので、作業が簡単容易である。
【００２０】
この際、前進移動後の挟持部２４が支柱１の外側表面にフィットしていない場合であっても、基軸部２２の回動を介して挟持部２４を旋回させることにより、該挟持部２４を支柱１の外側表面にガタツキのないようにフィットさせることが可能である。
【００２１】
このため、幅木装置５を搭載する足場構築体の支柱１が外径を相違する場合でも、その外径に応じて、挟持部２４を好適に支柱１の外側表面にフィットさせることが可能となり、汎用性の高い搭載装置７を提供することができるという効果がある。
【図面の簡単な説明】
【００２２】
【図１】本発明の１実施形態に係る搭載装置により幅木装置を足場構築体に幅木装置を搭載した状態を示す斜視図である。
【図２】本発明の１実施形態に関して、幅木本体と搭載装置の構成部品を分解した状態を示す斜視図である。
【図３】搭載装置を幅木本体に装着した状態を示す斜視図である。
【図４】搭載装置に関して、制御手段の第１実施形態を示しており、（Ａ）は挟持ロッドを格納姿勢とした状態を示す正面図、（Ｂ）は挟持ロッドにより挟持距離を可変する際の作用を示す説明図である。
【図５】搭載装置の挟持ロッドを第１挟持姿勢とした状態を示す斜視図である。
【図６】第１挟持姿勢とした挟持ロッドの挟持部とアーム部により第１挟持距離と第１対面距離を形成した状態を示しており、（Ａ）は正面図、（Ｂ）は側面図である。
【図７】搭載装置の挟持ロッドを第２挟持姿勢とした状態を示す斜視図である。
【図８】第２挟持姿勢とした挟持ロッドの挟持部とアーム部により第２挟持距離と第２対面距離を形成した状態を示しており、（Ａ）は正面図、（Ｂ）は側面図である。
【図９】挟持ロッドに設けた回動付勢手段の別の実施形態を示す斜視図である。
【図１０】制御手段の第２実施形態を示しており、（Ａ）はハウジングに設けた制御通路を示す斜視図、（Ｂ）は制御通路の詳細を示す拡大正面図である。
【図１１】挟持ロッドが第１格納姿勢状態で保持された状態を示す斜視図である。
【図１２】挟持ロッドが第１挟持姿勢とされた状態を示す斜視図である。
【図１３】挟持ロッドが第２挟持姿勢とされた状態を示す斜視図である。
【図１４】挟持ロッドが第２格納姿勢状態で保持された状態を示す斜視図である。
【発明を実施するための形態】
【００２３】
以下図面に基づいて本発明の好ましい実施形態を詳述する。
【００２４】
図１は、足場構築体として、フランジ式楔緊結構造を備えた仮設足場を例示している。支柱１は、金属製の円管材から成り、上下に所定間隔をあけて金属板から成るフランジ２を固設しており、建造物等の外壁に対する遠近方向（以下「妻方向」という）に所定間隔をあけて立設された一対の支柱１、１（建物側の支柱は図示省略している）を１組として、建造物等の外壁に沿う方向（以下「桁方向」という）に所定間隔をあけて立設されており、前記一対の支柱１、１の間に、横架材３を架設し、支柱１と横架材３は、相互に楔構造の緊結手段により固着される。そこで、図１に示すように、桁方向に離間する支柱１、１のそれぞれに固設された一対の横架材３、３の間に、足場板４が架設され、該足場板４の上に作業空間Ｓ１が形成されている。
【００２５】
しかしながら、本発明は、足場構築体の構成を目的とするものではないから、図示の構成に限定されるものではなく、フランジ式楔緊結構造以外の緊結構造を採用したものや、短管足場以外の枠組足場により構築されたものでも良い。更に、図示省略しているが、桁方向に離間する支柱１、１の間に先行手摺を設けても良い。
【００２６】
このような足場構築体において、幅木装置５は、前記作業空間Ｓ１から外部空間Ｓ２に臨む足場板４の桁方向の側部に沿って搭載されるように構成されており、前記支柱１、１の離間空間を塞ぐ幅木本体６を備え、該幅木本体６の両端部に位置して、それぞれの端部が臨む支柱１及び横架材３に係脱自在として搭載される左右の搭載装置７Ｌ、７Ｒを設けている。
【００２７】
図示実施形態の場合、左右の搭載装置７Ｌ、７Ｒは、図示のように、後述する受止め手段１６の位置を相互に上下方向に相違させている他は、実質的に同一構成のものを左右対称となるように構成している。従って、以下、左右の位置関係を問わない場合は、単に搭載装置７と称することにより説明する。尚、本発明により構成された搭載装置７は、幅木本体５の左右両端部の少なくとも一方に設ければ良く、他方の端部には、本発明の構成とは異なる搭載装置を設けても良い。
【００２８】
図例の場合、幅木装置５は、幅木本体６の下端部から足場板４の上面に延びる遮蔽板８を設け、足場板４の側部と支柱１の間の隙間Ｓを塞ぐように構成しているが、このような遮蔽版８は、必須要件とされるものではない。
【００２９】
（幅木装置の構成）
図１及び図２に示すように、前記幅木本体６は、金属板により帯状に形成され、該金属板を折曲することにより上縁に沿って外側に張出し状に形成された庇部６ａと、該庇部６ａから下向きに折曲された垂下壁６ｂを備えており、該幅木本体６の外側面に前記庇部６ａの張出し寸法幅Ｑに相当する空間を有する格納部９を形成している。更に、前記幅木本体６の両端部の下側縁には切欠き部１０が形成されている。
【００３０】
図示実施形態において、前記搭載装置７は、幅木本体６の端部に配置される板状ユニット１１と、幅木本体の外側面に配置される装置ユニット１２により構成されている。
【００３１】
（板金ユニット）
板状ユニット１１は、１枚の金属板を折曲することにより形成され、幅木本体６の端部の外側面に重ね合わせられる平板部１３を備え、該平板部１３を幅木本体６にリベット等の固着手段により固着される。尚、図例の場合、更に平板部１３の上端部から折曲された取付片１４が設けられており、該取付片１４を前記庇部６ａの下面に重ね合わせた状態でリベット等の固着手段により固着される。
【００３２】
前記平板部１３は、幅木本体６の端縁から突出する張出部１３ａを備えており、該張出部１３ａは、下端から外部空間に向けて偏位した状態で垂設された舌片状の設置手段１５を設けると共に、上端から外部空間に向けて上向き傾斜した状態で突出された受止め手段１６を設けている。受止め手段１６の先端縁には、円弧状に凹設された抱持部１６ａが形成されている。
【００３３】
板状ユニット１１は、薄い金属板から成る幅木本体６に重合状態で固着することにより、該幅木本体６の端部を補強し、後述するように、幅木装置５を所定位置に搭載する際、前記設置手段１５を横架材３に設置することにより幅木本体６を支持し、その状態で、前記受止め手段１６の抱持部１６ａを作業空間Ｓ１側から支柱１に当接することにより、幅木本体６の転倒を防止する。
【００３４】
（装置ユニット）
装置ユニット１２は、作業空間Ｓ１側に位置する前記受止め手段１６と協働して、外部空間Ｓ２側から支柱１を挟持する挟持装置１７を構成しており、幅木本体６の外側面に固着される支持体１８と、該支持体１８に支持される挟持ロッド１９を備えている。
【００３５】
前記支持体１８は、図２ないし図４に示すように、挟持ロッド１９を軸支する軸受部材２０と、該軸受部材２０を収容するハウジング２１から成り、それぞれリベット等の固着手段により幅木本体５の両端近傍に位置する内側面に固着される。尚、この状態で、支持体１８は、上述した幅木本体５における格納部９の内部に納められる。
【００３６】
前記挟持ロッド１９は、図４に示すように、支柱１に交差する横軸を軸線Ｘとして、軸廻りに回動自在かつ支柱１に対して進退移動自在な基軸部２２と、該基軸部２２の先端部（支柱１に向かう前進方向の端部）から径方向に延びるアーム部２３と、該アーム部２３の先端から支柱１に向けて突出する挟持部２４と、前記基軸部２２の尾端部から径方向に突出された操作部２５を備えており、前記基軸部２２を軸受部材２０に軸支している。図示実施形態の場合、基軸部２２の両端部からアーム部２３と操作部２５が平行するように折曲形成されている。
【００３７】
前記基軸部２２には、該基軸部２２を支柱１に向けて前進させる前進方向Ｆに向けて弾発付勢するスプリング２６が設けられている。そこで、挟持ロッド１９は、図４（Ａ）に示すように、スプリング２６に抗して基軸部２２を後退移動すると共にアーム部２２を幅木本体５の外側面に沿わせるように回動させた格納姿勢Ｐ１と、図５ないし図８に示すように、スプリング２６により基軸部２２を前進移動すると共にアーム部２３を幅木本体５の外側面から離反させるように回動させ、これにより挟持部２４を支柱１の外側表面に臨ませる挟持姿勢Ｐ２との間で姿勢変更が可能となるように構成されている。
【００３８】
このような姿勢変更を可能にするため、前記支持体１８を構成するハウジング２１に前記操作部２５を制御する制御手段２８が設けられており、制御手段２８の第１実施形態を図３ないし図８に示している。
【００３９】
図３及び図４（Ａ）に示すように、制御手段２８は、前記基軸部２８に臨んでハウジング２１の側壁に形成された切欠き状の通路２８Ａと、該通路２８Ａの外部に設けられた格納姿勢保持手段２７ａにより構成されている。格納姿勢保持手段２７ａは、挟持ロッド１９をスプリング２６に抗して後退させ、操作部２５を通路２８Ａの外部に脱出させた状態で基軸部２８の廻りに回動したとき、通路２８Ａの下側に位置して操作部２５を受止め可能となるように設けられており、これにより、挟持ロッド１９を格納姿勢Ｐ１とした状態で係止固定する。
【００４０】
従って、ユーザが指先で操作部２５を摘まむことにより、図４（Ａ）に示すように、スプリング２６に抗して挟持ロッド１９を後退移動させ、操作部２５を通路２８Ａから脱出させると共に回動すると、該操作部２５が格納姿勢保持手段２７に係止固定される。この状態で、挟持部２４は、支柱１から後退して離反させられ、アーム部２３は、前記挟持部２４と共に幅木本体５ないし平板部１３の外側面に沿わせられている。これにより、格納姿勢Ｐ１とされた挟持ロッド１９のアーム部２３は、幅木本体５における前記格納部９の内部に納められる。
【００４１】
格納姿勢Ｐ１の状態から、操作部２５を回動することにより前記通路２８Ａに進入させると、スプリング２６により基軸部２２と共に挟持ロッド１９の全体が前進方向Ｆに移動し、挟持姿勢Ｐ２となるように姿勢変更させられる。
【００４２】
挟持姿勢Ｐ２とした状態で、前記通路２８Ａから突出した操作部２５を介して基軸部２２を回動すると、挟持部２４は、支柱１の外側表面に臨ませられた状態で、アーム部２３を半径として旋回する。これにより、図４（Ｂ）に示すように、前記受止め手段１６の抱持部１６ａに接する鉛直線Ｙと該挟持部２４の間の水平距離（挟持距離Ｗ）が可変自在とされている。図示実施形態の場合、挟持距離Ｗとして、第１挟持距離Ｗ１と第２挟持距離Ｗ２を含む複数の異なる距離（Ｗ１＞Ｗ２）を選択的に形成することができるように構成されている。
【００４３】
図例の場合、アーム部２３を水平姿勢としたとき前記第１挟持距離Ｗ１が形成され、アーム部２３を水平姿勢から上下方向（図例の場合は下方向）に所定角度だけ旋回させた回動姿勢としたとき前記第２挟持距離Ｗ２が形成される。この際、操作部２５は、アーム部２３と平行に形成されている。
【００４４】
更に、挟持ロッド１９を格納姿勢Ｐ２に向けて前進移動させる際、前進移動距離に応じた距離だけアーム部２３が支柱１に向けて移動する。これにより、図４（Ａ）に示すように、前記受止め手段１６の抱持部１６ａに当接する支柱１の中心軸線Ｃと前記アーム部２３の間の水平距離（対面距離Ｌ）が可変自在とされている。図示実施形態の場合、対面距離Ｌとして、図６（Ａ）に示す第１対面距離Ｌ１と図８（Ａ）に示す第２対面距離Ｌ２を含む複数の異なる距離（Ｌ１＞Ｌ２）を選択的に形成することができるように構成されている。
【００４５】
前述のように可変自在とされた挟持距離Ｗと対面距離Ｌに関して、挟持ロッド１９は、第１挟持姿勢Ｐ２ａと第２挟持姿勢Ｐ２ｂを含む複数の異なる挟持姿勢Ｐ２を選択的に保持することができるように構成されている。図示実施形態の場合、図５及び図６に示すように、挟持ロッド１９を第１挟持姿勢Ｐ２ａとしたときは、挟持部２４が第１挟持距離Ｗ１を形成しかつアーム部２３が第１対面距離Ｌ１を形成する。図７及び図８に示すように、挟持ロッド１９を第２挟持姿勢Ｐ２ｂとしたときは、挟持部２４が第２挟持距離Ｗ２を形成しかつアーム部２３が第２対面距離Ｌ２を形成する。
【００４６】
そこで、第１実施形態の制御手段２８は、図４（Ａ）に示すように、前記通路２８Ａに臨んで、挟持姿勢Ｐ２とされた挟持ロッド１９を保持するための挟持姿勢保持手段２９を設けており、該挟持姿勢保持手段２９として、挟持ロッド１９が前記第１挟持姿勢Ｐ２ａとされた状態で操作部２５を固定係止する第１挟持姿勢保持手段２９ａと、挟持ロッド１９が前記第２挟持姿勢Ｐ２ｂとされた状態で操作部２５を固定係止する第２挟持姿勢保持手段２９ｂを設けている。
【００４７】
図示のように、第１挟持姿勢保持手段２９ａは、通路２８Ａに沿って前進移動する操作部２５を前記格納姿勢保持手段２７から比較的近い所定距離Ｍ１を隔てた位置で、該操作部２５を水平姿勢とした状態で受止め係止するように基軸部２２の軸線Ｘの側部に設けられている。第２挟持姿勢保持手段２９ｂは、通路２８Ａに沿って前進移動する操作部２５を前記格納姿勢保持手段２７から比較的遠い所定距離Ｍ２を隔てた位置で、該操作部２５を下向き回動姿勢とした状態で受止め係止するように軸線Ｘから斜めに偏位した下側部に設けられている。
【００４８】
（幅木装置の保管又は運搬）
幅木装置５に設けられた搭載装置７の挟持装置１７は、支持体１８を幅木本体６の格納部９に納められている。不使用時において、格納姿勢Ｐ１とした挟持ロッド１９は、アーム部２３を前記格納部９に納めると共に、挟持部２４を板状ユニット１１から突出させることなく後退位置に格納している。従って、幅木装置５の運搬等に際して、挟持ロッド１９を異物等の衝突による損傷から好適に保護することができ、しかも、これにより幅木装置５の全体も嵩張ることはないので、積層による運搬や保管を容易とする。
【００４９】
（幅木装置の搭載方法）
上述のように、幅木装置５は、足場構築体に対して、設置手段１５を横架材３に設置することにより幅木本体６を支持すると共に、受止め手段１６の抱持部１６ａを作業空間Ｓ１側から支柱１に当接した状態で、挟持装置１７の挟持ロッド１９を格納姿勢Ｐ１から挟持姿勢Ｐ２に姿勢変更させることにより、前記受止め手段１６と挟持部２４により支柱１を挟持する。
【００５０】
（第１挟持姿勢）
図５及び図６は、外径が大径Ｄ１とされた支柱１により構築された足場構築体に幅木装置５を搭載する場合の作用を示している。
【００５１】
上述のように、格納姿勢Ｐ１とされた挟持ロッド１９の操作部２５を回動させることにより格納姿勢保持手段２７から離脱させ、通路２８Ａに進入させると、スプリング２６により挟持ロッド１９が前進移動し、操作部２５が第１挟持姿勢保持手段２９ａに受止められることにより停止し、挟持ロッド１９を第１挟持姿勢Ｐ２ａに保持する。
【００５２】
図示実施形態の場合、通路２８Ａに進入した操作部２５は、軸線Ｘから横向き水平姿勢として通路２８を所定距離Ｍ１だけ移動した後、水平姿勢のまま第１挟持姿勢保持手段２９ａに押圧状態で係止し、挟持ロッド１９を第１挟持姿勢Ｐ２ａに保持する。
【００５３】
この状態で、挟持部２４は、第１挟持距離Ｗ１を形成することにより、支柱１の外側表面にフィットし、前記受止め手段１６と協働して、支柱１をガタツキのないように好適に挟持する。
【００５４】
同時に、アーム部２３は、第１対面距離Ｌ１を形成することにより、支柱１の横側表面に近接状態で臨み、支柱１に対する幅木本体６の横ズレ移動を好適に防止する。
【００５５】
（第２挟持姿勢）
図７及び図８は、外径が小径Ｄ２とされた支柱１により構築された足場構築体に幅木装置５を搭載する場合の作用を示している。
【００５６】
上述した第１挟持姿勢Ｐ２ａのときは水平姿勢とされていた操作部２５を回動（図例では下向き回動）させると、操作部２５は、回動姿勢の状態で通路２８を所定距離Ｍ２の位置まで移動した後、第２挟持姿勢保持手段２９ｂに受止められることにより停止し、挟持ロッド１９を第２挟持姿勢Ｐ２ｂに保持する。操作部２５の回動姿勢を可能にするため、図示実施形態では、図７（Ｂ）に示すように、通路２８Ａの幅を第２挟持姿勢保持手段２９ｂに向けて幅広に形成することにより受入れ部３０が設けられている。従って、受入れ部３０に進入させることにより操作部２５を回動させることが可能である。この際、図示のように、通路２８Ａから受入れ部３０に向かう進入路にテーパ縁を備えた案内部３１を形成することが好ましい。これにより、通路２８を前進移動する操作部２５を受入れ部３０に案内することができ、しかも、案内中の操作部２５を該案内部３１に沿って回動姿勢となるように好適に姿勢変更させることができる。
【００５７】
挟持ロッド１９を第２挟持姿勢Ｐ２ｂに保持した状態で、挟持部２４は、第２挟持距離Ｗ２を形成することにより、支柱１の外側表面にフィットし、前記受止め手段１６と協働して、支柱１をガタツキのないように好適に挟持する。
【００５８】
同時に、アーム部２３は、第２対面距離Ｌ２を形成することにより、支柱１の横側表面に近接状態で臨み、支柱１に対する幅木本体６の横ズレ移動を好適に防止する。
【００５９】
（回動付勢手段）
上述した実施形態において、挟持ロッド１９は、基軸部２２の径方向にアーム部２３を延設すると共に該アーム部２３の先端に挟持部２４を設けているので、該アーム部２３及び挟持部２４が錘として機能し、アーム部２３を垂れ下げさせる方向のモーメントが生じ、これにより回動付勢手段３２（図示せず）が形成されている。
【００６０】
従って、錘としての重量を増すことにより、挟持ロッド１９をスプリング２６に抗して格納姿勢Ｐ１に向けて後退移動させたとき、通路２８Ａから脱出した操作部２５が下向き回動方向の力を受け、自動的又は容易に格納姿勢保持手段２７に係止する。
【００６１】
反対に、挟持ロッド１９をスプリング２６により挟持姿勢Ｐ２に向けて前進移動させたときにも、操作部２５が第１挟持姿勢保持手段２９ａに係止した状態で（その係止前に挟持部２４は支柱１の外側表面に到達している）、前記モーメントを受けることにより下向き回動され、これと同時に挟持部２４が下向き回動することにより支柱１の外側表面に圧接される。従って、装置の設計誤差等により、挟持ロッド１９を挟持姿勢Ｐ２とした状態で挟持部２４が支柱１との間に隙間を生じるような場合でも、該隙間を埋めるように挟持部２４を回動させることができ、確実に支柱１を挟持することが可能になる。
【００６２】
図９は、前記回動付勢手段３２の別の実施形態を示しており、スプリング２６は、挟持ロッド１９を前進方向に弾発付勢するだけでなく、コイルスプリング２６の両端部２６ａ、２６ｂをそれぞれ基軸部２２と軸受部材２０に固定係止し、捻転方向に弾発力を蓄積することにより回動付勢手段３２を形成している。
【００６３】
従って、挟持ロッド１９は、矢印で示すように、常に、アーム部２３と操作部２５を下向きとする方向に回動付勢されており、前述した回動付勢手段３２により利点を発揮することが可能となる。
【００６４】
（制御手段の第２実施形態）
図１０ないし図１５は、制御手段２８の第２実施形態を示している。上述した第１実施形態の場合、通路２８Ａの縁部に形成した段差により操作部２５を段階的に停止させ、それぞれの位置で姿勢を制御する第１挟持姿勢保持手段２９ａと第２挟持姿勢保持手段２９ｂを設けた構成を図示したが、第２実施形態は、このような段差によらず、挟持ロッド１９の挟持姿勢を無段階に制御可能としている。
【００６５】
このため、制御手段２８は、スプリング２６により挟持ロッド１９と共に前記操作部２５を前進方向Ｆに移動させたとき、該操作部２５を前記基軸部２２の軸線Ｘに対して傾斜方向に連続して案内する制御通路２８Ｂを形成しており、前記操作部２５を制御通路２８Ｂに沿って前進移動させたとき、その前進移動に伴い前記挟持距離Ｗを次第に狭める方向に挟持ロッド１９が回動させられるように構成している。
【００６６】
更に、制御通路２８Ｂに関して、上述の第１実施形態と同様に、該制御通路２８Ｂの外部において該通路の下側位置に、下向き回動させられた操作部２５を受止め可能とする第１格納姿勢保持手段２７ａを設け、挟持ロッド１９を第１格納姿勢Ｐ１ａとした状態で固定係止可能とする以外に、制御通路２８Ｂの前進方向Ｆの前端に位置して下向き屈折方向に屈折路３３を延設することにより、第２格納姿勢保持手段２７ｂを構成している。
【００６７】
従って、図１０（Ｂ）に鎖線で示すように、第１格納姿勢Ｐ１ａとされた状態から操作部２５を回動することにより制御通路２８Ｂに進入させると、スプリング２６により挟持ロッド１９と共に前進方向Ｆに移動する操作部２５は、制御通路２８Ｂの傾斜に沿って案内され、軸線Ｘを中心として回動し、これにより挟持ロッド１９のアーム部２３を回動させる。制御通路２８Ｂの入口から所定距離Ｍ１を前進したときは、操作部２５の回動角度は相対的に小さいので、アーム部２３を上述のような第１挟持姿勢Ｐ２ａとする。更に所定距離Ｍ２を前進したときは、操作部２５の回動角度が増し、アーム部２３を上述のような第２挟持姿勢Ｐ２ｂとする。
【００６８】
図１１は、挟持ロッド１９を第１格納姿勢Ｐ１ａとして保持した状態を示しており、この状態で、幅木装置は、運搬や保管に供される。この際、第１格納姿勢保持手段２７ａは、操作部２５を受入れる凹部２５ａを形成していることが好ましい。
【００６９】
図１２は、外径が大径Ｄ１とされた支柱１を第１挟持姿勢Ｐ２ａとした挟持ロッド１９により挟持した状態を示している。上述のように、操作部２５を制御通路２８Ｂに進入させると、スプリング２６により挟持ロッド１９が自動的に前進させられ、アーム部２３を支柱１の横側表面に当接した状態で停止する。この際、上述のように操作部２５が制御通路２８Ｂの傾斜に沿って回動させられるので、同時にアーム部２３が図示矢印Ｒで示すように回動することにより挟持部２４を支柱１の外側表面に当接し、これにより、抱持部１６ａと協働して支柱１を挟持する。このように、第１挟持姿勢Ｐ２ａとされた挟持ロッド１９は、アーム部２３を支柱１に当接した状態で停止しているので、第１実施形態のような係止固定手段を必要としない。
【００７０】
図１３は、外径が小径Ｄ２とされた支柱１を第２挟持姿勢Ｐ２ｂとした挟持ロッド１９により挟持した状態を示している。上記と同様に、スプリング２６により挟持ロッド１９が自動的に前進させられ、アーム部２３を支柱１の横側表面に当接した状態で停止する。この第２挟持姿勢Ｐ２ｂでは、上述のように操作部２５が制御通路２８Ｂの傾斜に沿って更に回動角度を増すので、アーム部２３が図示矢印Ｒで示すように挟持部２４を小径Ｄ２とされた支柱１の外側表面に当接させるように大きく回動し、これにより、抱持部１６ａと協働して支柱１を挟持する。この第２挟持姿勢Ｐ２ｂの場合も、挟持ロッド１９のアーム部２３が支柱１に当接した状態で停止するので、第１実施形態のような係止固定手段を必要としない。
【００７１】
このように、第２実施形態の制御手段２８によれば、第１実施形態のような段差による係止固定手段が不要とされるだけでなく、制御通路２８Ｂの傾斜に沿って無段階な状態で次第に回動角度が増すように操作部２５を回動させ、アーム部２３を支柱１の横側表面に当接した停止状態で、挟持部２４を支柱１の外側表面に当接させるように操作部２５を回動する構成としているので、定型的に外径寸法を相違する複数の支柱のみならず、不定型に外径寸法を相違する多数の支柱に対して、自在に適応できる利点がある。しかも、制御通路２８Ｂが操作部２５を強制的に回動させる構成であるから、上述したような回動付勢手段３２は必ずしも必要としない。
【００７２】
図１４は、挟持ロッド１９を第２格納姿勢Ｐ１ｂとして保持した状態を示している。スプリング２６により前進移動した挟持ロッド１９の操作部２５は、制御通路２８Ｂの前端位置から、基軸部２２の回動を介して、第２格納保持手段２７ｂを構成する屈折路３３に進入させられている。この状態で、挟持ロッド１９は、アーム部２３を幅木本体の表面に対してほぼ平行状態とした格納姿勢とされ、幅木装置の運搬等に際して、アーム部２３や挟持部２４が異物の衝突により損傷することを防止する。
【００７３】
幅木装置の運搬や保管のためには、挟持ロッド１９を第１格納姿勢Ｐ１ａとすることが望ましいが、足場の解体時において、作業者が挟持ロッド１９をスプリング２６に抗して後退させ第１格納姿勢Ｐ１ａとするために必要な時間が不足するときや、作業を忘れるときがあり、その場合、足場から取外された幅木装置は、挟持ロッド１９のアーム部２３及び挟持部２４を幅木本体の側方に突出させた状態のまま運搬される問題がある。
【００７４】
そこで、作業者がこれに気付いたときは、挟持ロッド１９をスプリング２６に抗して第１格納姿勢Ｐ１ａまで移動させなくても、前進位置で停止している挟持ロッド１９を単に回動するだけで、迅速かつ簡単に第２格納姿勢Ｐ１ｂとすることができる。このような挟持ロッド１９の回動は、操作部２５を摘まむことにより行っても良いが、アーム部２３又は挟持部２４を摘まむことにより行うことができるので、極めて簡単である。
【００７５】
この際、上述のような回動付勢手段３２を設けておけば、操作部２５が制御通路２８Ｂの前端に位置して屈曲路３３に臨むや否や、挟持ロッド１９の回動と共に操作部２５が屈曲路３３に進入させられるので、挟持ロッド１９を第２格納姿勢Ｐ１ｂに向けて自動的に姿勢変更させることができる利点がある。
【００７６】
或いは、回動付勢手段３２を設けていない場合においても、制御通路２８Ｂの前端から屈曲路３３に向けてガイド路を形成しておけば、スプリング２６の付勢力により操作部２５が制御通路２８Ｂの前端からガイド路に向けて押動され、ガイド路に沿って回動させられながら屈曲路３３に案内されつつ進入するので、挟持ロッド１９を第２格納姿勢Ｐ１ｂに向けて自動的に姿勢変更させることができる利点がある。
【符号の説明】
【００７７】
１  支柱
２  フランジ
３  横架材
４  足場板
５  幅木装置
６  幅木本体
６ａ  庇部
６ｂ  垂下壁
７（７Ｌ、７Ｒ）  搭載装置
８  遮蔽版
９  格納部
１０  切欠き部
１１  板状ユニット
１２  装置ユニット
１３  平板部
１３ａ  張出部
１４  取付片
１５  設置手段
１６  受止め手段
１６ａ  抱持部
１７  挟持装置
１８  支持体
１９  挟持ロッド
２０  軸受部材
２１  ハウジング
２２  基軸部
２３  アーム部
２４  挟持部
２５  操作部
２５ａ  凹部
２６  スプリング
２７  格納姿勢保持手段
２７ａ  第１格納保持手段
２７ｂ  第２格納保持手段
２８  制御手段
２８Ａ  通路
２８Ｂ  制御通路
２９ａ  第１挟持姿勢保持手段
２９ｂ  第２挟持姿勢保持手段
３０  受入れ部
３１  案内部
３２  回動付勢手段
３３  屈折路
【図１】
2017186862.tif 000003
【図２】
2017186862.tif 000004
【図３】
2017186862.tif 000005
【図４】
2017186862.tif 000006
【図５】
2017186862.tif 000007
【図６】
2017186862.tif 000008
【図７】
2017186862.tif 000009
【図８】
2017186862.tif 000010
【図９】
2017186862.tif 000011
【図１０】
2017186862.tif 000012
【図１１】
2017186862.tif 000013
【図１２】
2017186862.tif 000014
【図１３】
2017186862.tif 000015
【図１４】
2017186862.tif 000016